(57)【要約】【課題】  内部に微細粉塵が侵入することを防止しうる光走査装置およびこれを備えた画像形成装置を提供する。【解決手段】  光走査装置１は、ポリゴンミラー２１を備える基板２２が、ハウジング内部１０Ａとハウジングの露出部１０Ｂとにまたがって配設される。基板２２には、表面に当接して離隔手段が備えられ、この離隔手段によって、基板２２はハウジング内部１０Ａに配設される第一領域２２Ａと、露出部１０Ｂに配設される第二領域２２Ｂとが隔てられている。ポリゴンミラー２１は基板２２の第二領域２２Ｂに設けられる。【選択図】図３
2019113747.tif 000002
【特許請求の範囲】
【請求項１】
光源からの光を偏向走査する光偏向ユニットがハウジングに備えられてなる光走査装置であって、
前記ハウジングには、該ハウジングの外部に露出されない内部と、前記外部に露出した状態とされる露出部とが設けられ、
前記光偏向ユニットは、ポリゴンミラーと、このポリゴンミラーが第一の面に搭載された基板とを備え、
前記基板は、前記内部に配設されるとともに前記ポリゴンミラーが搭載される第一領域と、前記露出部に配設される第二領域とを含み、
前記内部と前記露出部とを隔てる離隔手段が前記基板の前記第一領域と前記第二領域と間に設けられたことを特徴とする光走査装置。
【請求項２】
請求項１に記載の光走査装置において、
前記基板の第二領域に、前記ポリゴンミラーを制御する制御信号が入力されるコネクタが備えられたことを特徴とする光走査装置。
【請求項３】
請求項１または２に記載の光走査装置において、
前記離隔手段は、前記基板の第一の面に当接する第一の弾性部材を備えることを特徴とする光走査装置。
【請求項４】
請求項３に記載の光走査装置において、
前記ハウジングには前記第一の弾性部材を保持する凹溝が設けられたことを特徴とする光走査装置。
【請求項５】
請求項１〜４のいずれか一つの請求項に記載の光走査装置において、
前記ハウジングは、ハウジング本体と、このハウジング本体に対して開閉可能なカバー部材とを備え、
前記カバー部材は前記離隔手段に覆い被せられるとともに前記露出部を露出させた状態で取り付けられることを特徴とする光走査装置。
【請求項６】
請求項１〜５のいずれか一つの請求項に記載の光走査装置において、
前記離隔手段は、前記基板における第一の面の反対側の面である第二の面に当接する第二の弾性部材を備えることを特徴とする光走査装置。
【請求項７】
請求項１〜６のいずれか一つの請求項に記載の光走査装置において、
前記離隔手段はネオプレンゴムにより形成されてなることを特徴とする光走査装置。
【請求項８】
請求項１〜７のいずれか一つの請求項に記載の光走査装置において、
前記離隔手段は、前記基板と前記ハウジングとの間に圧縮された状態で配設されてなることを特徴とする光走査装置。
【請求項９】
請求項１〜８のいずれか一つの請求項に記載の光走査装置を備える画像形成装置。
【発明の詳細な説明】
【技術分野】
【０００１】
本発明は、光走査装置およびこれを備えた画像形成装置に関する。
【背景技術】
【０００２】
デジタル複合機、レーザプリンタ、あるいはファクシミリ等の画像形成装置には光走査装置が搭載されている。この種の光走査装置としては、ポリゴンミラーを利用したものが知られており、光源から出射した光を、回転するポリゴンミラーの周面で反射させて所定方向に走査させる。光走査装置は、ポリゴンミラーの他に、ポリゴンミラーを回転させるポリゴンモータとこれらを納める収容容器等とを備えている。
【０００３】
ポリゴンモータは収容容器の中仕切り壁に支持され、金属板のカバーによって覆われて保護されている。収容容器は、外周部の垂直壁に切欠部が形成され、光走査装置の内外に開口されている。切欠部には弾性部材が配設されるとともに、弾性部材に貫通させてコネクタが配設されている（例えば、特許文献１参照）。
【先行技術文献】
【特許文献】
【０００４】
【特許文献１】特開平６−３４９０１号公報
【発明の概要】
【発明が解決しようとする課題】
【０００５】
光走査装置において、ポリゴンミラーが高速回転すると、ポリゴンミラーのミラー面に正圧の領域と負圧の領域が発生し、負圧の領域にあるミラー面に空気中の微細な粉塵やミストなどの汚れが付着しやすくなる。ポリゴンミラーに汚れが付着すると、付着した部分の反射率が低下する。これにより光走査装置から出射され、ポリゴンミラーで偏向される光ビームの光量低下を招き、感光体ドラムへの書込み不良、転写用紙上での画像劣化等を引き起こすといった問題点があった。そのため、光走査装置においては、外部から微細粉塵が侵入するのをできるだけ防止する必要性がある。
【０００６】
前記従来の光走査装置においては、コネクタを差し込むための差し込み穴が弾性部材の内外に貫通して設けられ、収容容器の外部からコネクタが弾性部材を介して収容容器の内部に差し込まれている。このような従来の構造では、コネクタの外周面と弾性部材とを密着させることが困難となるうえ、コネクタの抜き差しを行う際に、弾性部材に設けられたコネクタの差し込み穴が変形したりコネクタとの間に隙間を生じたりするおそれがある。そのため、外部から微細粉塵が侵入する可能性を否定できず、コネクタの接続後には、コネクタ周囲に別途の弾性部材を設けて、差し込み孔の周囲を気密に遮蔽しなければならないと考えられる。
【０００７】
本発明は、前記従来の問題点にかんがみてなされたものであり、その目的とするところは、外部からの遮蔽性を高め、内部に微細粉塵が侵入することを防止しうる光走査装置およびこれを備えた画像形成装置を提供することを目的としている。
【課題を解決するための手段】
【０００８】
前記の目的を達成するための本発明の解決手段は、光源からの光を偏向走査する光偏向ユニットがハウジングに備えられてなる光走査装置を前提とする。この光走査装置に対し、前記ハウジングの外部に露出されない内部と、前記外部に露出した状態とされる露出部とを設けており、前記光偏向ユニットに、ポリゴンミラーと、このポリゴンミラーが第一の面に搭載された基板とを備えさせる。前記基板は、前記内部に配設されるとともに前記ポリゴンミラーが搭載される第一領域と、前記露出部に配設される第二領域とを含む構成とする。そして、前記ハウジングの前記内部と前記露出部とを隔てる離隔手段を、前記基板の前記第一領域と前記第二領域と間に設けたことを特徴としている。
【０００９】
この特定事項により、前記基板を前記ハウジングの前記内部と前記露出部との間にまたがって配設して、前記基板の一部を露出した状態とすることができ、しかも、前記ハウジングの前記内部と前記露出部とを離隔手段により隔てているので、前記内部への微細粉塵の流入を防ぐことが可能とされる。
【００１０】
前記光走査装置における、より具体的な構成として次のものが挙げられる。すなわち、前記基板の前記第二領域には、前記ポリゴンミラーを制御する制御信号が入力されるコネクタが備えられることが好ましい。
【００１１】
これにより、コネクタを前記ハウジングの前記露出部に配置して、外部から容易にコネクタ接続することが可能となり、コネクタ接続によっても前記ハウジングの前記内部の遮蔽性が保たれる。
【００１２】
また、前記離隔手段は、前記基板の第一の面に当接する第一の弾性部材を備えることが好ましい。
【００１３】
これにより、前記基板において、前記内部に納められる第一領域と、前記露出部に配設される第二領域とを、第一の弾性部材によって隔てた構成とすることができる。
【００１４】
また、前記ハウジングには前記第一の弾性部材を保持する凹溝が設けられることが好ましい。
【００１５】
これにより、前記第一の弾性部材を前記ハウジングに取り付けやすくするとともに移動不能に備えさせることができる。
【００１６】
また、前記ハウジングは、ハウジング本体と、このハウジング本体に対して開閉可能なカバー部材とを備え、前記カバー部材は前記離隔手段に覆い被せられるとともに前記露出部を露出させた状態で取り付けられることが好ましい。
【００１７】
これにより、前記ハウジングの構造を複雑化することなく前記基板の一部を露出させた状態とすることができる。
【００１８】
また、前記離隔手段は、前記基板における第一の面の反対側の面である第二の面に当接する第二の弾性部材を備えることが好ましい。
【００１９】
これにより、前記基板の第二の面において、前記第一領域と前記第二領域とを第二の弾性部材によって隔てることができる。
【００２０】
また、前記離隔手段はネオプレンゴムにより形成されてなることが好ましい。
【００２１】
これにより、前記離隔手段に、良好な弾力性、電気絶縁性および気密性を備えさせることができる。
【００２２】
前記離隔手段は前記基板と前記ハウジングとの間に圧縮された状態で配設されることが好ましい。
【００２３】
これにより、前記ハウジングの前記内部と前記露出部との間の遮蔽性をより一層高めることができる。
【００２４】
前記目的を解決するため、前記構成に係る光走査装置を備えた画像形成装置も本発明の技術的思想の範疇にある。すなわち、画像形成装置に備えさせる光走査装置として、前記ハウジングに該ハウジングの外部に露出されない内部と、前記外部に露出した状態とされる露出部とを設けており、前記光偏向ユニットに、ポリゴンミラーと、このポリゴンミラーが第一の面に搭載された基板とを備えさせ、前記基板を、前記内部に配設されるとともに前記ポリゴンミラーが搭載される第一領域と、前記露出部に配設される第二領域とを含む構成とし、前記ハウジングの前記内部と前記露出部とを隔てる離隔手段を前記基板の前記第一領域と前記第二領域と間に設けた構成とすることである。
【００２５】
これにより、画像形成装置において、光走査装置への微細粉塵の侵入を防止し得て、出力される画像品質を良好に維持することが可能となる。
【発明の効果】
【００２６】
本発明では、基板の一部をハウジングの外部に露出させた状態で配設し、前記ハウジングの前記露出部と前記内部とを離隔手段で隔てた構成としている。これにより、前記ハウジングの前記内部に微細粉塵が侵入することを防止し得て、画像品質を良好に維持することが可能となる。
【図面の簡単な説明】
【００２７】
【図１】本発明の実施形態に係る光走査装置を備えた画像形成装置を正面から視た概略断面図である。
【図２】実施形態に係る光走査装置を示す斜視図である。
【図３】前記光走査装置においてカバー部材を取り外したハウジングを示す斜視図である。
【図４】前記光走査装置に備えられる光偏向ユニットの一例を示す斜視図である。
【図５】図３におけるＡ−Ａ線断面図である。
【図６】図３におけるＢ−Ｂ線断面図である。
【図７】図３におけるＣ−Ｃ線断面図である。
【発明を実施するための形態】
【００２８】
以下、本発明の実施形態に係る光走査装置および画像形成装置について、図面を参照しつつ説明する。
【００２９】
（画像形成装置）
図１は、実施形態に係る光走査装置１を備えた画像形成装置１００を正面から視た概略断面図である。
【００３０】
本実施形態に係る画像形成装置１００は、モノクロ画像形成装置である。画像形成装置１００は、画像読取装置２００により読み取られた画像データ、又は、外部から伝達された画像データに応じて、画像形成処理を行う。なお、画像形成装置１００は、シートＳに対して多色及び単色の画像を形成するカラー画像形成装置であってもよい。
【００３１】
画像形成装置１００は、原稿送り装置１０８と、画像形成装置本体９０とを備えている。画像形成装置本体９０には、画像形成部１０２と用紙搬送系１０３とが設けられている。
【００３２】
画像形成部１０２は、光走査装置（露光ユニット）１、現像ユニット２、静電潜像担持体として作用する感光体ドラム３、クリーニング部４、帯電装置５及び定着ユニット７を備えている。また、用紙搬送系１０３は、給紙トレイ８１、手差し給紙トレイ８２、排出トレイ９６及び排出ローラ９７を備えている。
【００３３】
画像形成装置本体９０の上部には、原稿Ｇの画像を読み取るための画像読取装置２００が設けられている。画像読取装置２００は、原稿Ｇが載置される原稿載置台２２１を備えている。原稿載置台２２１は、透明の強化ガラスからなる四角形状ものとされている。原稿載置台２２１の上側には原稿送り装置１０８が設けられている。
【００３４】
画像形成装置１００では、画像読取装置２００で読み取られた原稿Ｇの画像は、画像データとして画像形成装置本体９０に送られ、シートＳ上に画像が記録される。
【００３５】
画像形成装置本体９０には用紙搬送路Ｗ１が設けられている。給紙トレイ８１又は手差し給紙トレイ８２は、シートＳを用紙搬送路Ｗ１に供給する。用紙搬送路Ｗ１は、シートＳを転写ローラ９１及び定着ユニット７を経て排出トレイ９６に導く。
【００３６】
定着ユニット７は、シートＳ上に形成されたトナー像をシートＳに加熱定着する。用紙搬送路Ｗ１の近傍には、ピックアップローラ９２、搬送ローラ９３、レジストローラ９５、転写ローラ９１、定着ユニット７におけるヒートローラ７１及び加圧ローラ７２、排出ローラ９７が配設されている。
【００３７】
画像形成装置１００では、給紙トレイ８１又は手差し給紙トレイ８２にて供給されたシートＳはレジストローラ９５まで搬送される。次に、シートＳはレジストローラ９５によりシートＳと感光体ドラム３上のトナー像とを整合するタイミングで転写ローラ９１に搬送される。
【００３８】
感光体ドラム３上のトナー像は転写ローラ９１によりシートＳ上に転写される。その後、シートＳは定着ユニット７におけるヒートローラ７１及び加圧ローラ７２に通過し、搬送ローラ９３及び排出ローラ９７を経て排出トレイ９６上に排出される。
【００３９】
シートＳの表面だけでなく、裏面に画像形成を行う場合は、シートＳは排出ローラ９７から反転用紙搬送路Ｗ２へ逆方向に搬送される。シートＳは反転搬送ローラ９４を経てシートＳの表裏を反転してレジストローラ９５へ再度導かれる。そして、シートＳは、表面と同様にして、裏面にトナー像が形成されて定着された後、排出トレイ９６へ向けて排出される。
【００４０】
（光走査装置）
次に、画像形成装置１００に備えられる光走査装置１について説明する。
【００４１】
図２〜図７は実施形態に係る光走査装置１を示し、図２は光走査装置１の外観を示す斜視図、図３はカバー部材を取り外したハウジングを示す斜視図、図４は光走査装置１における光偏向ユニット２０の一例を示す斜視図である。また、図５は図３におけるＡ−Ａ線断面図、図６は同Ｂ−Ｂ線断面図、図７は同Ｃ−Ｃ線断面図である。なお、図２において、矢符Ｚ方向は光走査装置１における上下方向を示すものとする。
【００４２】
光走査装置１は、レーザスキャニングユニット（ＬＳＵ）として構成され、レーザビームを偏向走査する光偏向ユニット２０がハウジング１０に備えられている。
【００４３】
図２に示すように、ハウジング１０は、光走査装置１の構成部品を収容する筐体であり、上部が開放された有底箱状のハウジング本体１１と、ハウジング本体１１に被せられるカバー部材１８とを備える。ハウジング本体１１とカバー部材１８とが当接する部分には、図示しない発泡性部材等の弾性を有するシール部材が挟み込まれる。カバー部材１８とハウジング本体１１とは、スナップフィットやねじ等の止着手段１９を用いて前記シール部材を押圧した状態で締結される。
【００４４】
図３に示すように、ハウジング１０には、光偏向ユニット２０として、レーザビームを走査するポリゴンミラー２１、およびポリゴンミラー２１によって反射されたレーザ光を感光体ドラム３に導くためのレンズ４２等の光学要素が配置されている。例示の形態では、光偏向ユニット２０は、ポリゴンミラー２１と、このポリゴンミラー２１が搭載された基板２２と、ポリゴンミラー２１を回転駆動させるポリゴンモータ２６と、ポリゴンミラー２１を制御する制御信号が入力されるコネクタ２８等を備えて構成されている。
【００４５】
ポリゴンミラー２１は、光源４１から照射される光を偏向し、図１に示した感光体ドラム３に対して走査する周面を有している。ポリゴンミラー２１は、平面視正多角形状（図３では正六角形状）の平板状に形成されており、前記周面に複数のミラー面を備えている。
【００４６】
ポリゴンモータ２６は、ポリゴンミラー２１を軸部２７回りに回転させる。ポリゴンミラー２１は、ポリゴンモータ２６によって回転駆動しながら、出射された光を偏向するとともに、ｆθレンズ４３等に向けて走査する。
【００４７】
光走査装置１の内部への微細粉塵の侵入を防ぐために、光走査装置１には、ハウジング本体１１とカバー部材１８との間をシールする対策や、テープを貼る等の対策が施されるが、以下に説明する理由等によって、より一層、ハウジング１０の遮蔽性を高める必要性がある。
【００４８】
近年の画像形成速度の高速化の要望に対して、従来の製品に比べてポリゴンミラーの回転速度を速めることが求められる。光走査装置１内部に設置されたポリゴンミラー２１は、高速回転をすることによって気流を発生させる。そして、シール部材等の張り合わせ箇所や連続的につながった微小な空間内を風が流れ、ある箇所では内部から外部へ、ある箇所では外部から内部へと空気が流れる可能性がある。
【００４９】
ハウジング１０に外部から流入する空気中には、光学部品を汚す微細粉塵が含まれていることが多い。ポリゴンミラー２１が高速回転するほど、ハウジング１０の内側に微細粉塵が浸入しやすくなり、光学部品表面やハウジング１０に付着するおそれを生じる。
【００５０】
特に、ポリゴンミラー２１の周囲の気流に含まれる微細粉塵は、高速回転したポリゴンミラー２１の反射面に付着しやすい。また、ポリゴンミラー２１が回転することでポリゴンミラー２１のミラー面付近で乱気流が発生し、微細粉塵をのせた気流がミラー面に激しくぶつかる。その結果、ポリゴンミラーのミラー面に衝突する微細粉塵が堆積され、気流がぶつかる量が多い箇所から汚れが進行し、汚れた箇所の反射率が低下する。反射率の低下に伴って、感光体ドラム３に導かれる光ビームの光量が低下し、出力される画像濃度が薄くなるといった問題が発生してしまう。
【００５１】
これに対して、本実施形態に係る光走査装置１では、ハウジング１０の外部に露出されない内部１０Ａと外部に露出した状態とされる露出部１０Ｂとを設けており、これらの間を離隔手段によって隔てた構成とすることで、微細粉塵の侵入を防止している。
【００５２】
具体的には、ハウジング本体１１は偏平な有底状箱型の筐体とされており、底板１２の外縁部に側板１３が立設されている。図２に示すように、光走査装置１には、ハウジング１０における一つの角隅部に露出部１０Ｂが設けられている。この露出部１０Ｂにはカバー部材１８が被せられず、ハウジング１０の外部に露出した状態とされている。また、ハウジング１０において、この露出部１０Ｂを除く範囲は、カバー部材１８が被せられて外部に露出しない状態に形成されている。これにより、ハウジング１０は、カバー部材１８で覆われた内部１０Ａと、カバー部材１８に覆われていない露出部１０Ｂとを備えた構成とされている。
【００５３】
例示の形態では、カバー部材１８は、ハウジング１０の露出部１０Ｂに対応する部位が切り欠かれた形状を有している。ハウジング本体１１に対してカバー部材１８が取り付けられることで、内部１０Ａは閉塞され、露出部１０Ｂは外部に露出した状態とされる。露出部１０Ｂは外部から視認し得るように設けられる。
【００５４】
図３には、ハウジング本体１１からカバー部材１８を取り外した状態が示されている。露出部１０Ｂは、ハウジング本体１１の側板１３の一部をなす外側壁１４と、ハウジング本体１１に立設された内側壁１５とで区画されている。内側壁１５は、ハウジング本体１１の側板１３に対して内方に連設され、一方の面が露出部１０Ｂに臨むとともに他方の面が内部１０Ａに臨んで配設されている。基板２２は、ハウジング１０の内部１０Ａと露出部１０Ｂとの両方にまたがるように、ハウジング本体１１配設される。
【００５５】
図４に示すように、基板２２は、ハウジング１０の内部１０Ａに納められる第一領域２２Ａと、露出部１０Ｂに配設される第二領域２２Ｂとを備える。基板２２の第一領域２２Ａは、基板２２の長手方向の一方側に設定され、第二領域２２Ｂはその他方側に設定されている。基板２２の第一領域２２Ａにはポリゴンミラー２１が搭載されている。第二領域２２Ｂにはコネクタ２８が搭載され、このコネクタ２８には制御装置等から延びる電力供給線や信号線等のハーネス（図示せず）が接続される。
【００５６】
（離隔手段）
基板２２において、第一領域２２Ａと第二領域２２Ｂとの間には、離隔手段（３１、３２）が設けられて両領域が隔てられている。離隔手段は、露出部１０Ｂと内部１０Ａとの間で、露出部１０Ｂから内部１０Ａへの空気の流入を防止するとともに微細粉塵の侵入を阻止する。離隔手段には、弾力性および電気絶縁性を有して気密性に富む、合成樹脂系材料、ゴム系材料、発泡体等による弾性部材が用いられる。
【００５７】
図４に示すように、基板２２の第一面２３には、離隔手段として第一の弾性部材３１が配設される。第一の弾性部材３１は、基板２２の第一面２３に密着しうる直方体形状を有して形成されている。
【００５８】
この第一の弾性部材３１は、基板２２上のコネクタ２８寄りに近接させて設けられることで、第一領域２２Ａが第二領域２２Ｂよりも広い領域となるように構成されている。これにより、基板２２上において、第一領域２２Ａに搭載されるポリゴンミラー２１が、第二領域２２Ｂから遠ざけられた配置形態となされている。
【００５９】
基板２２には、ハウジング本体１１に固定するための複数のビス孔２５が設けられている。図３に示されるように、ビス孔２５に対応させて、ハウジング本体１１の底板１２にボス部１７が設けられている。ボス部１７を介して、基板２２はハウジング本体１１に取り付けられる。
【００６０】
ハウジング本体１１の底板１２にボス部１７が備えられていることで、基板２２はハウジング本体１１の底板１２に密着しない構造となっている。すなわち、底板１２と、これに取り付けられる基板２２の第二面２４（第一面２３の反対側の面）との間には隙間が形成される。
【００６１】
図４に示すように、基板２２の第二面２４において、第一領域２２Ａと第二領域２２Ｂとの間には、離隔手段として第二の弾性部材３２が配設される。これによって、ハウジング本体１１の底板１２と基板２２との間で、第一領域２２Ａと第二領域２２Ｂとが隔てられるとともに、前記隙間が塞がれている。第二の弾性部材３２は、基板２２を介して第一の弾性部材３１の下方に備えられている。
【００６２】
基板２２に当接して設けられる、これらの第一の弾性部材３１および第二の弾性部材３２は、ハウジング本体１１に備えられた一対の凹溝１６に対して固定される。
【００６３】
図３に示すように、ハウジング本体１１には、露出部１０Ｂを区画する内側壁１５と外側壁１４の内面とに、一対の凹溝１６が対向して配設されている。基板２２の第一面２３に立設される第一の弾性部材３１は、幅方向の両端縁がこれらの凹溝１６に保持されて、ハウジング本体１１に移動不能に備えられる。
【００６４】
図５に示すように、凹溝１６の溝幅ｗは、第一の弾性部材３１の厚みに対応させ、第一の弾性部材３１が凹溝１６に密着する幅にて形成されている。また、第一の弾性部材３１は、その上端が、凹溝１６の上端よりも上方に突出する大きさで形成されている。
【００６５】
また、図４に示すように、第二の弾性部材３２には、凹溝１６を内側に嵌め込む切欠部３３が設けられている。図４に示すように、第二の弾性部材３２は、基板２２の第二面２４に広く接触しうる大きさを有して形成されている。
【００６６】
図７に示すように、第二の弾性部材３２は、ハウジング本体１１の凹溝１６に切欠部３３を係止させて配設される。第二の弾性部材３２は、例示の形態では、凹溝１６を差し挟んで露出部１０Ｂと内部１０Ａとの両方にまたがる大きさで形成されている。第二の弾性部材３２は、切欠部３３に凹溝１６が嵌め込まれることで位置決めされ、ハウジング本体１１に移動不能に備えられる。
【００６７】
前記のとおり、ハウジング１０の内部１０Ａに対しては、上部が開放された有底箱状のハウジング本体１１に、平板状のカバー部材１８が被せられる。図６および図７に示すように、第二の弾性部材３２は、ハウジング本体１１の底板１２と基板２２の第二面２４とに密接させて、切欠部３３と凹溝１６とを係合させてハウジング本体１１に納められる。
【００６８】
基板２２は対向する一対の凹溝１６の間に嵌め込まれる。第二の弾性部材３２の上に基板２２が載せられ、ビス孔２５を介して底板１２に固定される。基板２２が底板１２に固定されることで、第二の弾性部材３２が基板２２の第二面２４に圧着され、底板１２と第二面２４との間の隙間を塞ぐ。
【００６９】
第一の弾性部材３１は、一対の凹溝１６の溝内に嵌め込まれて、基板２２の第一面２３に当接するように配設される。これにより、ハウジング本体１１に対して、底板１２側から、第二の弾性部材３２、基板２２、および第一の弾性部材３１が順に備えられる。
【００７０】
カバー部材１８は、第一の弾性部材３１の上端に覆い被せられる。カバー部材１８がハウジング本体１１に対して止着手段１９によって締結されることにより、第一の弾性部材３１はカバー部材１８に圧着され、基板２２とカバー部材１８との間に圧縮された状態で備えられる。このように、第一の弾性部材３１と第二の弾性部材３２とが基板２２に密接して配設されることで、ハウジング１０の内部１０Ａと露出部１０Ｂとの間が気密的に封止され、離隔される。
【００７１】
離隔手段としての第一の弾性部材３１および第二の弾性部材３２は、例えばネオプレンゴム、ポリウレタンゴム、シリコーンゴム等のゴム系材料により構成されることが好ましい。これらの中でも、特に、ネオプレンゴムを用いて離隔手段が形成されることが好ましい。
【００７２】
光走査装置１は、このようなゴム系材料により構成される離隔手段が、基板２２とハウジング１０の内面（凹溝１６、ハウジング本体１１の底板１２またはカバー部材１８）との間に圧縮された状態で配設されている。これによって、ハウジング１０の内部１０Ａと露出部１０Ｂとにまたがって配設された基板２２は、離隔手段によってその周囲に空気の流通が阻止され、微細粉塵の侵入を防ぐことが可能となる。
【００７３】
したがって、光走査装置１は、ハウジング本体１１の内部１０Ａがカバー部材１８で覆われた状態のとき、コネクタ２８へのハーネス接続を容易に行うことができ、その接続作業によってもハウジング１０の遮蔽性に影響を及ぼすことがなく、長期間にわたり微細粉塵の侵入を防止することが可能となる。
【００７４】
（他の実施形態）
本発明に係る光走査装置１および画像形成装置１００は、前記の実施形態以外にも他の様々な形で実施することができる。例えば、光走査装置１の構成は前記実施形態のほか、発光素子をアレイ状に並べた例えばＥＬやＬＥＤ書き込みヘッドを用いる構成であってもよい。光走査装置１に設けられる基板２２は、第二領域２２Ｂに、コネクタ２８のほか、ＩＣチップ等の各種電子部品が搭載されてもよい。
【００７５】
また、前記実施形態では、離隔手段として、基板２２の第一面２３に第一の弾性部材３１を備え、第二面２４に第二の弾性部材３２を備えた構成とされたが、離隔手段はこれに限定されず、形状および材料等において他の種々の構成を採用することができる。例えば、第二の弾性部材３２は、第一の弾性部材３１と同様に直方体形状を有して、ハウジング本体１１の凹溝１６に幅方向の両端が保持される構成であってもよい。
【００７６】
また、離隔手段を構成する材料には、ネオプレンゴム等のゴム系材料が単独で用いられてもよく、２種類以上の異なる材料が組み合わせられてもよい。また、離隔手段は、単層であってもよく、同一または異なる種類の弾性部材を積層させたものであってもよい。そのため、前記の実施形態は例示であり、限定的なものではない。
【産業上の利用可能性】
【００７７】
本発明は、画像形成装置および画像形成装置に備えられる光走査装置として好適に利用可能である。
【符号の説明】
【００７８】
１      光走査装置
２      現像ユニット
３      感光体ドラム
４      クリーニング部
５      帯電装置
７      定着ユニット
１０    ハウジング
１０Ａ  内部
１０Ｂ  露出部
１１    ハウジング本体
１２    底板
１３    側板
１４    外側壁
１５    内側壁
１６    凹溝
２０    光偏向ユニット
２１    ポリゴンミラー
２２    基板
２２Ａ  第一領域
２２Ｂ  第二領域
２３    第一面
２４    第二面
２５    ビス孔
２６    ポリゴンモータ
２７    軸部
２８    コネクタ
３１    第一の弾性部材（離隔手段）
３２    第二の弾性部材（離隔手段）
Ｗ１    用紙搬送路
Ｗ２    反転用紙搬送路
１００  画像形成装置
１０２  画像形成部
１０３  用紙搬送系
１０８  原稿送り装置
２００  画像読取装置
【図１】
2019113747.tif 000003
【図２】
2019113747.tif 000004
【図３】
2019113747.tif 000005
【図４】
2019113747.tif 000006
【図５】
2019113747.tif 000007
【図６】
2019113747.tif 000008
【図７】
2019113747.tif 000009